(57)【要約】【課題】構成部品点数の増加及び設計の複雑化をすることなく炊飯器本体の外郭を形成する部材の溶解、発火、炊飯器本体内部の拡大延焼を防止すると共に、炊飯器本体のコンパクト化、炊飯器本体内部の配線処理の容易化による組立工数の削減を実現する炊飯器を提供することができる。【解決手段】炊飯器本体と、炊飯器本体に着脱自在に収納される内鍋と、炊飯器本体の上面開口部を開閉自在に覆う蓋体と、内鍋を加熱する加熱手段と、加熱手段を制御する制御装置を備えた加熱制御基板と、炊飯操作するための入力装置を備えた操作制御基板と、加熱制御基板を炊飯器本体に支持するための加熱制御基板用基板ベースと、操作制御基板を炊飯器本体の操作表示部と対向するように支持するための操作制御基板用基板ベースとを備え、加熱手段と加熱制御基板の接続部を難燃性樹脂又は不燃部材で覆った炊飯器本体内部の１箇所に収納する構成とする。【選択図】図１
2008054718.tif 000002
【特許請求の範囲】
【請求項１】
炊飯器本体と、前記炊飯器本体に着脱自在に収納される内鍋と、前記炊飯器本体の上面開口部を開閉自在に覆う蓋体と、前記内鍋を加熱するための加熱手段と、前記加熱手段を制御する制御装置を備えた加熱制御基板と、炊飯操作するための入力装置を備えた操作制御基板と、前記加熱制御基板を炊飯器本体に支持するための加熱制御基板用基板ベースと、前記操作制御基板を炊飯器本体の操作表示部と対向するように支持するための操作制御基板用基板ベースとを備え、前記加熱手段と前記加熱制御基板の接続部を難燃性樹脂又は不燃部材で覆った炊飯器本体内部の１箇所に収納する炊飯器。
【請求項２】
加熱制御基板用基板ベースと操作制御基板ベースは難燃性樹脂又は不燃部材で形成されることを特徴とする請求項１記載の炊飯器。
【請求項３】
内鍋底を加熱する加熱手段と加熱制御基板の接続部であるターミナル部は、加熱制御基板用基板ベースの側面部及び下部に爪嵌合で保持する難燃性樹脂又は不燃部材で形成されたターミナルカバーで覆われる構成を有することを特徴とする請求項１または２に記載の炊飯器。
【請求項４】
ターミナルカバーは、ヒートシンクの両端を挟み込むように形成し、加熱制御基板用基板ベースと爪嵌合で保持されている側と逆の端部を爪嵌合で保持することを特徴とする請求項３記載の炊飯器。
【請求項５】
蓋体内部に設けられた蓋加熱板を加熱する蓋加熱板加熱手段と加熱制御基板の接続部である蓋加熱板加熱手段コネクターと、内鍋の側面部を直接加熱するための内鍋側面加熱手段と加熱制御基板の接続部である側面加熱手段コネクターは、加熱制御基板用基板ベースに蓋加熱板加熱手段コネクターと側面加熱手段コネクターの配線を保持するフック部により位置を規制され、その外方は操作制御基板用基板ベースに設けた鉛直下方に伸びる不燃化対応リブに、その下方はターミナルカバーにより覆われることを特徴とする請求項１〜４のいずれか１項に記載の炊飯器。
【発明の詳細な説明】
【技術分野】
【０００１】
本発明は、一般家庭、あるいは業務用に使用する炊飯器に関するものである。
【背景技術】
【０００２】
一般的に炊飯器内部には、内鍋内の調理物を加熱するための加熱手段、その加熱手段を制御する制御手段が存在しており、それらの動作は、一般電源から供給される電流を基に行われている。加熱手段と制御手段の接続は、制御手段を有する制御基板にネジ締め、もしくはファストン端子を制御基板上のタブ端子に挿入する等の直接制御基板上に接続するものや、制御基板に連結するコネクターにより接続する等の方法で接続されている。一般電源から供給される電流は、制御手段を有する制御基板から前述の接続部を介して加熱手段に供給され、その電流を基に加熱手段により内鍋内の調理物の加熱を行っている。
【０００３】
前述のように接続部には電流が流れている為、ネジ締め部の緩み、コネクターの半挿入、コネクター配線部の断線等の接続部の接触面積が減少してしまう事例が発生した際に、その接続部が発熱し、極めて高温になってしまう可能性がある。そのため一般的に接続部は、不燃部材、もしくは難燃性部材を使用し、接続部が発火することをないようにすると共に、接続部の周囲も不燃部材もしくは難燃性部材で覆うように構成している。
【０００４】
特許文献１に、従来例の炊飯器が開示されている。図５は従来例の炊飯器の要部下面図である。説明を分かり易くするため、ボディを省略している。同図に示すように、炊飯器本体１００の制御手段である制御基板１０１を基板ベース１０２内に内装し、内鍋底加熱手段である底コイル１０３と制御基板の接続を金属部材で形成されている底コイル端子（コイル側）１０４とターミナル金具１０５（制御基板側）をネジ１０６で接続し、内鍋側面加熱手段である側面ヒーターと制御基板の接続部である側面ヒーターコネクター１０７と蓋加熱板加熱手段である蓋ヒーターと制御基板の接続部である蓋ヒーターコネクター１０８の接続部は、各接続部それぞれ難燃性テープ１０９でその接続部を覆う構成をとっている。
【特許文献１】特開２００６−５５５６４号公報
【発明の開示】
【発明が解決しようとする課題】
【０００５】
しかしながら、特許文献１に開示された従来例の炊飯器は、各接続部毎にその接続部を難燃性部材で覆う構成をとっている為、この構成をとることで、各接続部からの発火及び発火による接続部周囲への拡大延焼を防止することを実現できるが、接続部への水の浸入、炊飯器本体が落下した時の接続部及び接続部周囲の変形防止等の安全性を考慮した構成、各接続部が安定する配線処理等の組立性を考慮した構成を折りこんでいくと、結果として構成部品の部品点数の増加及び設計の複雑化を引き起こし、炊飯器本体の拡大化、炊飯器本体内部の配線処理の複雑化による組立工数の増加等の問題を引き起こしていた。
【０００６】
本発明の炊飯器は、前記従来の課題を解決するもので、加熱手段と制御基板の接続部を難燃性樹脂又は不燃部材で覆った炊飯器本体内部の１箇所に収納する構成をとることにより、炊飯器本体の外郭を形成する部材の溶解、発火、炊飯器本体内部の拡大延焼を防止すると共に炊飯器本体設計の簡素化、炊飯器本体のコンパクト化、炊飯器本体内部の配線処理の容易化による組立工数の削減を実現し得る炊飯器を提供することを目標とする。
【課題を解決するための手段】
【０００７】
前記従来の課題を解決するために、本発明の炊飯器は、炊飯器本体と、前記炊飯器本体に着脱自在に収納される内鍋と、前記炊飯器本体の上面開口部を開閉自在に覆う蓋体と、前記内鍋を加熱する加熱手段と、前記加熱手段を制御する制御装置を備えた加熱制御基板と、炊飯操作するための入力装置を備えた操作制御基板と、前記加熱制御基板を炊飯器本体に支持するための加熱制御基板用基板ベースと、前記操作制御基板を炊飯器本体の操作表示部と対向するように支持するための操作制御基板用基板ベースとを備え、前記加熱手段と前記加熱制御基板の接続部を難燃性樹脂又は不燃部材で覆った炊飯器本体内部の１箇所に収納する構成を有するものである。この構成をとることにより、１つのもしくは複数個の接続部が高温になった際にも、接続部を一箇所に収納している為、構成部品点数の増加及び設計の複雑化をすることなく炊飯器本体の外郭を形成する部材の溶解、発火、炊飯器本体内部の拡大延焼を防止すると共に、炊飯器本体のコンパクト化、炊飯器本体内部の配線処理の容易化による組立工数の削減を実現することができる。
【０００８】
請求項２記載の発明は、加熱制御基板用基板ベースと操作制御基板ベースは難燃性樹脂又は不燃部材で形成されることを特徴とする請求項１記載の炊飯器である。
【０００９】
これによって、接続部を保持する部品が発火することを防止することができる。
【００１０】
請求項３記載の発明は、内鍋底を加熱する加熱手段と加熱制御基板の接続部であるターミナル部は、加熱制御基板用基板ベースの側面部及び下部に爪嵌合で保持する難燃性樹脂又は不燃部材で形成されたターミナルカバーで覆われる構成を有することを特徴とする請求項１または２に記載の炊飯器である。
【００１１】
これによって、内鍋加熱手段の接続部がターミナル部から外れるもしくは垂れる事例が発生しても、ターミナルカバーにより接続部の移動範囲を規制でき、炊飯器本体の外郭を形成する樹脂部材に接続部からの熱を遮断できると共に接続部が炊飯器本体の外郭を形成する樹脂部材に直接接触することを防止できる。
【００１２】
また、炊飯器本体組立時に容易にセット性よく装着できると共にネジ締め工程が不要な為、工数を含めた合理化を実現することができる。
【００１３】
請求項４記載の発明は、ターミナルカバーは、ヒートシンクの両端を挟見込むように形成し、加熱制御基板用基板ベースと爪嵌合で保持されている側と逆の端部を爪嵌合で保持することを特徴とする請求項３記載の炊飯器である。
【００１４】
これによって、ターミナルカバーの方端を接続部から離れた不燃部材で保持することができ、接続部が高温になった際も接続部からの熱の影響を受ける事がなく、ターミナルカバーの位置を規制することができる。
【００１５】
また、ヒートシンクを通過する冷却ファンからの風の流れをターミナルカバーにより変えることができ、効率よく炊飯器本体内部を冷却することと底センサーの検知精度を高くすることができ、炊飯性能を向上することを実現することができる。
【００１６】
請求項５記載の発明は、蓋体内部に設けられた蓋加熱板を加熱する蓋加熱板加熱手段と加熱制御基板の接続部である蓋加熱板加熱手段コネクターと、内鍋の側面部を直接加熱するための内鍋側面加熱手段と加熱制御基板の接続部である側面加熱手段コネクターは、加熱制御基板用基板ベースに蓋加熱板加熱手段コネクターと側面加熱手段コネクターの配線を保持するフック部により位置を規制され、その外方は操作制御基板用基板ベースに設けた鉛直下方に伸びる不燃化対応リブに、その下方はターミナルカバーにより覆われる構成を有することを特徴とする請求項１〜４のいずれか１項に記載の炊飯器である。
【００１７】
これによって、複数の接続部を難燃性樹脂又は不燃部材で覆われた一箇所の収納部に収納する際に、接続部の位置を確実に規制でき、出荷後においても設計どおりの配線を実現でき、より安全性の高い製品を市場に提供することができる。
【発明の効果】
【００１８】
本発明の炊飯器は、１つのもしくは複数個の接続部が高温になった際にも、接続部を一箇所に収納している為、構成部品点数の増加及び設計の複雑化をすることなく炊飯器本体の外郭を形成する部材の溶解、発火、炊飯器本体内部の拡大延焼を防止すると共に、炊飯器本体のコンパクト化、炊飯器本体内部の配線処理の容易化による組立工数の削減を実現することができる。
【発明を実施するための最良の形態】
【００１９】
以下本発明を実施するための最良の形態を具体的に示した実施の形態について、図面と共に記載する。
【００２０】
（実施の形態１）
図１〜図４を用いて、本発明の実施の形態１の炊飯器を説明する。
【００２１】
図１は、本発明の実施の形態１の炊飯器の一部切欠した側面図である。破断部分に断面図を示す。図面を簡潔にするために、電気的接続のためのリード線等は省略してある。
【００２２】
図１において、炊飯器本体１は、ボディ２及び上枠３から構成しており、その内部に内鍋４を収納する保護枠５を設け、保護枠５の下方には内鍋底の加熱手段である底誘導加熱コイル６を配置し、底誘導加熱コイル６の外側には、内鍋４底部の底誘導加熱コイル６と内鍋４底部側面部の底誘導加熱コイル６の間を磁気結合する目的でフェライト７を配置している。保護枠５の下方には、内鍋４と当接し、内鍋４の温度検知をする内鍋温度検知手段である底センサー８を配置している。内鍋４は上枠３に配設している上枠キャップ９により支持され、底誘導加熱コイル６との距離を保っている。内鍋４の側面部には、内鍋側面部の加熱手段である側面誘導加熱コイル１０を配置している。１１は炊飯器本体１上部を形成する開閉自在の蓋体で、蓋体１１が閉じている状態では、フックレバー１２により炊飯器本体１に支持されている。蓋体１１の下部には、蓋加熱板１３を配置し、内部には、蓋加熱板加熱手段である蓋誘導加熱コイル１４と蓋温度検知手段である蓋センサー１５を配設している。蓋加熱板１２には、内鍋フランジ部１６と当接する内鍋シールパッキン１７を配置し、内鍋４内の調理物１８が加熱されることにより発生する蒸気等が漏れないようシールしている。なお、内鍋加熱手段６、内鍋側面部加熱手段１０、蓋加熱板加熱手段１４は、ヒーターであっても良い。
【００２３】
炊飯器本体１の前面部には、炊飯器を操作するための入力装置を備えた操作制御基板１９が傾斜した状態で操作制御基板用基板ベース２０の開口面に設置している。各加熱手段を制御する制御装置を備えた加熱制御基板２１は、操作制御基板１９の下方に略垂直に加熱制御基板用基板ベース２２の開口面に設置している。前述の各基板はフェノール積層板、各基板ベースは難燃性樹脂で成形している。
【００２４】
操作制御基板用基板ベース２０と加熱制御基板用基板ベース２２は、鉛直方向に爪勘合で固定し、それぞれの基板ベースは、上枠３とネジで固定し、操作制御基板用基板ベース２０の傾斜及び加熱制御基板用基板ベース２２の略鉛直の設置形態を維持している。操作制御基板１９と加熱制御基板２１は、リード線２３を介して接続され、操作制御基板１９の入力装置からの信号を加熱制御基板２１に伝達している。加熱制御基板２１は、操作制御基板１９からの信号及び底センサー８、蓋センサー１５の温度情報を基に各加熱手段への電流供給量を制御し、内鍋４への加熱量を調整する炊飯及び保温シーケンスを有する制御手段であり、この制御手段により、内鍋４内の調理物１８を炊飯及び保温を行っている。なお、調理物１８とは炊飯前の米と水又は炊き上がったご飯等である。加熱制御基板２１の下方には、加熱制御基板２１を構成する制御部品及び炊飯器本体１内部配設部品、炊飯器本体１内部雰囲気を冷却するためのアルミニウムで形成されたヒートシンク２４及び炊飯器本体１外部の空気を供給する冷却ファン２５を配設している。２６は、難燃性部材で成形したターミナルカバーで各加熱手段と加熱制御基板２１の接続部２７を覆うように配設している。
【００２５】
図２（ａ）は、本発明の実施の形態１の炊飯器の下面図である。図２（ｂ）は本発明実施の形態１の炊飯器のターミナルカバー２６装着前の要部下面図である。図３は、本発明の実施の形態１の炊飯器の要部側面図である。図４（ａ）は、本発明の実施の形態１の炊飯器のターミナルカバー装着前の制御手段の正面図である。図４（ｂ）は、本発明の実施の形態１の炊飯器のターミナルカバー装着後の制御手段の正面図である。図２（ａ）、図２（ｂ）、図３において、組立時のターミナルカバーの装着前後の説明をする為、組立時と同様にボディ２を取り付けてない状態で図示する。
【００２６】
図２（ａ）、（ｂ）、図３に示すように、底誘導コイル６の端子を加熱制御基板２１に配設しているターミナル部２８に接続している。内鍋側面加熱手段１０と加熱制御基板２１の接続部である側面加熱手段コネクター２９と、蓋加熱板加熱手段１４と加熱制御基板２１の接続部２７である蓋加熱板加熱手段コネクター３０は、操作制御基板用基板ベース２０から鉛直下方に伸びた不燃化対応リブ３１と加熱制御基板２１及び加熱制御基板用基板ベース２２の間に収納する。側面加熱手段コネクター２９と蓋加熱板加熱手段コネクター３０の配線は、加熱制御基板用基板ベース２２の設けたフック部３２により位置規制をしている。
【００２７】
次にターミナルカバー２６をヒートシンク２４を挟み込むように、側面部片側を操作制御基板用基板ベース２０との爪嵌合、その逆側をヒートシンク２４との爪嵌合、そしてターミナル部２８下方での爪嵌合の三箇所で保持している。ターミナルカバー２６の挿入方向は、組立性を考慮し、炊飯器本体の前から後ろの方向としている。
【００２８】
この構成をとることにより、側面加熱手段コネクター２９と蓋加熱板加熱手段コネクター３０は、炊飯器本体１の前方向を不燃化対応リブ３１で、後方向を加熱制御基板２１と加熱制御基板用基板ベース２２で、左右方向をターミナルカバー２６と不燃化対応リブ３１で、上方向を操作制御基板１９と操作制御基板用基板ベース２０で、下方向をターミナルカバー２６で全ての方向を難燃性部材で覆うことを実現し、各コネクターが高温になった際、各コネクターを覆う難燃性樹脂又は不燃部材が炊飯器本体の外郭を形成する樹脂部材で成形されたボディ２への熱の供給に対する障壁となると共に、各コネクター近傍にゴキブリ等の可燃性部材が存在し、その可燃性部材が発火した際も各コネクターを覆う難燃性樹脂又は不燃部材が炊飯器本体１内部への可燃部材発火の拡大延焼に対する障壁となり、炊飯器本体１の故障及び燃焼を防止することができる。また、接続部２７が高温になり、各コネクターが溶解し、接続部２７から外れるもしくは垂れる事例が発生しても、ターミナルカバー２６により接続部２７の移動範囲を規制でき、炊飯器本体１の外郭を形成する樹脂部材で成形されたボディ２に接続部２７からの熱を遮断できると共に接続部２７が炊飯器本体１の外郭を形成する樹脂部材で成形されたボディ２に直接接触することを防止できる。また、各コネクターを難燃性部材で狭い空間に囲む構成をとっているため、各コネクター収納部近傍にゴキブリ等の可燃性部材が存在し、その可燃性部材から発火が生じたとしても自己消火をする可能性が高い。
【００２９】
同様に、底誘導加熱コイル６と加熱制御基板２１の接続部２７であるターミナル部も、炊飯器本体１の前方向をターミナルカバー２６で、後方向を加熱制御基板２１と加熱制御基板用基板ベース２２で、左右方向をターミナルカバー２６とヒートシンク２４で、上方向を操作制御基板２１と操作制御基板用基板ベース２２で、下方向をターミナルカバー２６で全ての方向を難燃性部材で覆うことを実現し、ターミナル部２８が高温になった際、ターミナル部２８を覆う難燃性樹脂又は不燃部材が炊飯器本体の外郭を形成する樹脂部材で成形されたボディ２への熱の供給に対する障壁となると共に、ターミナル部２８近傍にゴキブリ等の可燃性部材が存在し、その可燃性部材が発火した際もターミナル部２８を覆う難燃性樹脂又は不燃部材が炊飯器本体１内部への可燃部材発火の拡大延焼に対する障壁となり、炊飯器本体１の故障及び燃焼を防止することができる。また、接続部２７が高温になり、ターミナル部を２８を支持する加熱制御基板用基板ベース２２が溶解し、接続部２７から外れるもしくは垂れる事例が発生しても、ターミナルカバー２６により接続部２７の移動範囲を規制でき、炊飯器本体１の外郭を形成する樹脂部材で成形されたボディ２に接続部２７からの熱を遮断できると共に接続部２７が炊飯器本体１の外郭を形成する樹脂部材で成形されたボディ２に直接接触することを防止できる。また、ターミナル部２８を難燃性部材で狭い空間に囲む構成をとっているため、ターミナル部２８近傍にゴキブリ等の可燃性部材が存在し、その可燃性部材から発火が生じたとしても自己消火をする可能性が高い。
【００３０】
また、図４の（ａ）、（ｂ）に示すように、ターミナルカバー２６の方端を各接続部２７から離れたヒートシンク２４で保持することができ、各接続部２７が高温になった際も接続部からの熱の影響を受ける事がなく、ターミナルカバー２６の位置を規制することができる。同時にターミナルカバー２６の両端にヒートシンク２４を挟み込む構成により、冷却ファン２５から炊飯器本体１内部に供給される風の向きも変更することができ、炊飯器本体１内部の冷却性能も向上することができる。また、底センサー８に流れる風の向きもターミナルカバー２６の形状を変更することで調整でき、底センサー８の検知精度の向上を実現することができ、このことにより、炊飯性能の向上も実現することができる。ターミナルカバー２６の配置位置、形状は不燃化構成を実現し得る物であれば、求める効果により臨機応変に変更することで合理的な設計を実現することができる。
【００３１】
上述の本発明の実施の形態１の炊飯器の構成は、複数個の接続部２７を１つの難燃性樹脂及び不燃性部材により形成される１つ空間に収納するという合理的な構成であり、各接続部毎に難燃性樹脂もしくは不燃部材で覆う構成を設ける必要がなく、構成部品の増加や設計の複雑化という問題を未然に防止することができ、その結果として炊飯器のコンパクト化にも寄与することができる。上記記載の接続部２７以外に多数接続部２７を有する炊飯器においても、同様に１つの収納部に収めるのが好ましいが、構成上、１つの箇所に収納不可能な際は別途その他の箇所に同様な構成を有することで上記構成と同様な効果が得られる。
【００３２】
また、製品組立時においてターミナルカバー２６を装着する工程は、製品の組立上、必然的に全ての配線処理終了後に行われる。そのため、接続部２７を含めた配線を一括してターミナルカバー２６内部に収納することができるので、組立時の配線バラケを減少することができ、ターミナルカバー２６装着後のボディ２装着時にボディ２と上枠３の間での配線噛み込み等の不具合も改善でき、組立性の向上を実現することができる。更には、複雑な配線処理をする必要がないため、配線処理が容易となり組立工数の削減も実現することができる。
【００３３】
また、製品組立後、市場に出る過程もしくは市場にて、移送時の振動、持ち運び時の製品落下等の様々な要因で製品内部の配線がバラケる要因が存在するが、それならの事象が発生してもターミナルカバー２６により配線部の位置規制が確実にできていることから、前記不具合で配線がバラケる可能性が減少するため、設計どおりの配線を出荷後にも実現でき、より安全性の高い製品を市場に提供することができる。
【産業上の利用可能性】
【００３４】
本発明に係わる炊飯器は、家庭用又は業務用の炊飯器として有用である。
【図面の簡単な説明】
【００３５】
【図１】本発明の実施の形態１の炊飯器の一部を切欠した側面図
【図２】（ａ）本発明の実施の形態１の炊飯器の下面図（ｂ）本発明実施の形態１の炊飯器のターミナルカバー装着前の要部下面図
【図３】本発明の実施の形態１の炊飯器の要部側面図
【図４】（ａ）本発明の実施の形態１の炊飯器のターミナルカバー装着前の制御手段の正面図（ｂ）本発明の実施の形態１の炊飯器のターミナルカバー装着後の制御手段の正面図
【図５】従来例の炊飯器の要部下面図
【符号の説明】
【００３６】
１  炊飯器本体
４  内鍋
６  内鍋底加熱手段（底誘導加熱コイル）
１０  内鍋側面加熱手段（側面誘導加熱コイル）
１１  蓋体
１４  蓋加熱板加熱手段（蓋誘導加熱コイル）
１８  調理物
１９  操作制御基板
２０  操作制御基板用基板ベース
２１  加熱制御基板
２２  加熱制御基板用基板ベース
２４  ヒートシンク
２６  ターミナルカバー
２７  接続部
２８  ターミナル部
２９  側面加熱手段コネクター
３０  蓋加熱板加熱手段コネクター
３１  不燃化対応リブ
３２  フック部
【図１】
2008054718.tif 000003
【図２】
2008054718.tif 000004
【図３】
2008054718.tif 000005
【図４】
2008054718.tif 000006
【図５】
2008054718.tif 000007